(57)【要約】【課題】  畳敷きなどの床に人が座るような比較的広い室内でも、暑過ぎたり寒過ぎたりせず、人にとって快適な室内空調を可能にする温度センサを提供する。【解決手段】  床面８２に空気の吸引が可能な開口部１４を備えた吸込口ボックス１６を有する。吸込口ボックス１６の内側に、室内空気を吸引する吸引管３４と、端部にセンサ素子５８を備えたセンサケーブル３６とを備える。吸込口ボックス１６の開口部１４には貫通孔２６を備えた上蓋２０が取り付けられ、床面８２とほぼ面一に設けられる。吸込口ボックス１６の内部では、吸込口ボックス１６内へ吸い込んだ室内空気温度を検知し、センサケーブル３６により検知信号を送る。【選択図】図１
2006145389.tif 000002
【特許請求の範囲】
【請求項１】
室内の空調制御をするために室内温度を検知する温度センサにおいて、床面に空気の吸引が可能な開口部を備えた吸込口を設け、前記吸込口の内側に、室内空気を吸引する吸引管と、端部にセンサ素子を備えたセンサケーブルとを備え、前記吸込口内部にて、前記吸込口へ吸い込んだ室内空気温度を検知することを特徴とする温度センサ。
【請求項２】
前記吸込口は、筒状の吸込口ボックスから成り、上方の開口部には貫通孔を備えた上蓋が取り付けられ、前記床面とほぼ面一に設けられたことを特徴とする請求項１記載の温度センサ。
【発明の詳細な説明】
【技術分野】
【０００１】
この発明は、室内の床面付近の空気の温度を測定する空調用の温度センサに関する。
【背景技術】
【０００２】
従来、比較的広い室内の冷房や暖房などの空調を行う際には、室内の温度を設定温度に保つために、温度センサを設置して室内適所の温度を測定している。そして、温度センサが検知した信号を空調制御装置などに送り、この信号に基づいて室内の温度制御を行っている。この温度センサは、室内の比較的邪魔にならない壁面などに取り付けられており、床から１．２ｍ〜１．５ｍの位置に取り付けられるのが一般的である。
【０００３】
また、温度センサによる室内の温度測定方法として特許文献１では、床暖房システムにおいて、床材の間に温度センサを挟み込むように設置し、床の温度を温度センサにより測定する方法が開示されている。
【特許文献１】特開２０００−２４９６０５号公報
【発明の開示】
【発明が解決しようとする課題】
【０００４】
上記従来の技術では、室内の温度測定は、比較的高い位置の壁面付近の温度が検知されている。このため、空調の温度制御は、温度センサの設置された壁面付近の温度を基に制御されていた。
【０００５】
例えば、大講堂などで畳敷きの場合に、人が直接床に座るような施設では、床面より上方の壁面で温度検知を行っていることにより、床面付近では実際の気温が設定した温度より低くなってしまうものであった。これは、冷たい空気が暖かい空気よりも重く、床面付近に溜まりやすいからである。そしてこれにより、床に座る人の周囲の空気の温度が、設定した温度より低くなり、寒い思いをするという問題があった。一方、温度センサを、床に直接取り付けると、床に座る際や、歩行する際に邪魔になる上、温度センサに人が直接触れてしまう可能性もあり、正確な温度を測定することが難しいものであった。
【０００６】
また、壁面の床面近傍に温度センサを取り付けても、室内端部の床面付近の温度しか測定できないため、人が座る位置にあたる、例えば、室内中央の床面付近などの温度は、計測できないと言う問題がある。
【０００７】
そのほか、特許文献１に開示された方法は、床下に設けられた熱源により床暖房を行うにあたり、床表面にセンサを配置し、床表面の暖まり具合を測定しているものであり、床面付近の空気の温度を測定するものではない。
【０００８】
この発明は、上記従来技術の問題を鑑みて成されたもので、畳敷きなどの床に人が座るような比較的広い室内でも、暑過ぎたり寒過ぎたりせず、人にとって快適な室内空調を可能にする温度センサを提供することを目的とする。
【課題を解決するための手段】
【０００９】
この発明は、室内の空調制御をするために室内温度を検知する温度センサにおいて、床面に空気の吸引が可能な開口部を備えた吸込口を設け、前記吸込口の内側に、室内空気を吸引する吸引管と、端部にセンサ素子を備えたセンサケーブルとを備え、前記吸込口内部にて、前記吸込口へ吸い込んだ室内空気温度を検知し、センサケーブルにより検知信号を制御装置へ送る温度センサである。
【００１０】
前記吸込口は、筒状の吸込口ボックスから成り、上方の開口部には貫通孔を備えた上蓋が取り付けられ、前記床面とほぼ面一に設けられたものである。
【発明の効果】
【００１１】
この発明の温度センサによれば、室内の床面付近の空気の温度を直接測定可能であるため、床面に人が座るような比較的広い室内でも、床面近傍の気温が暑過ぎたり寒過ぎたりせず、人にとって快適な室内空調を可能にするものである。さらに、邪魔にならず室内中央部等任意の場所に設置可能なものであり、広い室内であっても正確な温度検知が可能である。
【発明を実施するための最良の形態】
【００１２】
以下、この発明の温度センサの一実施形態について、図１〜図５を基にして説明する。この実施形態の温度センサ１０は、室内空調の温度制御を行う際に、室内の床面付近の空気の温度を測定するものである。
【００１３】
この実施形態の温度センサ１０の構造について説明する。図１に示すように、この温度センサ１０は、適宜な太さの塩化ビニル製パイプを適宜の長さで切断し、一方の端面を塞いで下面となる底部１２を形成し、開口部１４を上面とした円柱状の吸込口ボックス１６を備えている。開口部１４近傍の吸込口ボックス１６側面には、上端部から適宜な範囲で雄ねじ部１８が形成されている。そして、この吸込口ボックス１６の上端の開口部１４には、ステンレス製の上蓋２０が取り付けられている。
【００１４】
上蓋２０は、吸込口ボックス１６の外径よりも大きい同心状の鍔部２１を備え、鍔部２１の内側下面には、吸込口ボックス１６の外径とほぼ等しい内径の筒状部２３が一体に形成され、筒状部２３の内周面には、吸込口ボックス１６の雄ねじ部１８と螺合する雌ねじ部１９が形成されている。さらに上蓋２０には、同心状に開口部２５が形成され、蓋部２２が螺合して固定されている。この蓋部２２には、開閉レンチ用嵌合穴２４を備え、蓋部２２の中央付近には、適宜な大きさの通気用の貫通孔２６が適宜な数だけ設けられている。
【００１５】
吸込口ボックス１６の底部１２端部の円柱側面には、吸込口ボックス１６を床など固定するための固定片２８が一体に設けられている。この固定片２８には貫通穴３０が設けられ、固定ねじ３２などを挿通し、床などに吸込口ボックス１６を固定可能になっている。吸込口ボックス１６の側面には、吸引管３４とその上方位置にセンサケーブル３６を挿通するための挿入口３８ａ，３８ｂが設けられている。それぞれの挿入口３８ａ，３８ｂには、雌ねじ加工が施された塩化ビニル製の継手４０ａ，４０ｂがそれぞれ取り付けられている。この継手４０ａ，４０ｂには、雌ねじ部に螺着可能な、内部に貫通孔４２を備え側面に雄ねじ加工が施された継手管４４ａ，４４ｂが取り付けられる。
【００１６】
ここで、吸引管３４とセンサケーブル３６は、室内の床下に敷設され、吸込ポンプ８０と図示しない制御装置に接続されている。敷設は、適宜の配管に挿通しても良く、床下の空間に設けても良い。
【００１７】
そして、継手管４４ａに座金５２ａを取り付け、継手４０ａには、吸引管３４が挿通され、滑止突起４６が設けられた留め蓋４８ａとパッキン５０ａが、吸引管３４に挿通されている。継手管４４ａの貫通孔４２に挿通された吸引管３４は、継手管４４ａを継手４０ａに螺着した状態で、吸込口ボックス１６の挿入口３８ａから適宜な長さに突出して位置し、座金５２ａとパッキン５０ａを挟着状態にし、留め蓋４８ａを継手４０ａに被せるようにして、継手管４４ａに留め蓋４８ａが螺合して留められている。
【００１８】
センサケーブル３６を継手４０ｂに挿通する際も、吸引管３４と同様に、まず、滑止突起付４６の留め蓋４８ｂ、パッキン５０ｂ、継手管４４ｂに、順次センサケーブル３６を挿通するとともに、継手管４４ｂに座金５２ｂを取り付ける。また、継手４０ｂに継手管４４ｂを螺着し、吸込口ボックス１６の挿入口３８ｂから適宜な長さにセンサケーブル３６が出ている状態にして、座金５２ｂとパッキン５０ｂを挟着状態にする。そして、留め蓋４８ｂを継手４０ｂに被せるようにして、継手管４４ｂに留め蓋４８ｂが螺合し、センサケーブル３６が留められている。
【００１９】
吸込口ボックス１６の内部には、棒体状のセンサ固定具５４が、内側面間に架橋されて取り付け固定されている。このセンサ固定具５４には、挿入口３８ｂから吸込口ボックス１６内部に露出しているセンサケーブル３６が、適宜な長さに束ねられて固定用帯５６により固定され、センサケーブル３６端部のセンサ素子５８が、周辺の部材に接触しない状態に取り付けられている。
【００２０】
次に、この実施形態の温度センサ１０の取り付け方法について説明する。図２に示すように、畳６０が敷かれた室内６２であって、畳６０の箇所と仕切り６４により仕切られ、絨毯６６が敷かれた通路６８を備えた比較的広い室内６２を例に説明する。この通路６８は床用コンクリート７０の上に断熱材フォーム７２が敷かれ、その上に床板材７４が敷かれて、さらに上面に絨毯６６が敷設されている。このような室内６２では、人が通路６８中央付近に座ることが少ないので、図３に示すように、吸込口ボックス１６を通路６８に設ける。取り付けは、固定ねじ３２により固定片２８を取付穴７６の底７８に固定し、吸引管３４とセンサケーブル３６を吸込口ボックス１６に挿通して取り付け固定する。最後に、吸込口ボックス１６に上蓋２０を被せるように螺合して取り付ける。
【００２１】
次に、この実施形態の温度センサ１０の動作について説明する。吸込口ボックス１６内部に突出した吸引管３４を介して室外に設置された吸込ポンプ８０などにより、吸込口ボックス１６内部の空気を吸い出す。すると、上蓋２０に設けた貫通孔２６から、床面８２付近の空気が吸込口ボックス１６内部に吸い込まれ、貫通穴２６から吸い込んだ空気は、センサ素子５８の周囲を通過して床面８２付近の空気温度が検知される。そして、検知した信号が、図示しない空調制御装置などに送られ、図示しない制御装置により空調温度が制御される。
【００２２】
この実施形態の温度センサ１０によれば、床面８２の下に敷設されたセンサ素子５８により、床面から吸い込む空気の温度を検知するため、室内６２の床面８２付近の空気の温度を測定可能になり、床に人が座る比較的広い室内６２でも、暑過ぎたり寒過ぎたりせず、人にとって快適な室内空調を可能にするものである。また、温度センサ１０を形成する吸込口ボックス１６及び上蓋２０などは、一般に入手可能な部材を使用するため、経済的である。
【００２３】
なおこの発明の温度センサにおいて、吸込口ボックス１６に挿通した吸引管３４から空気を吸い込むには、空調設備の換気ポンプ８４の換気ダクト８６の吸込側８８に接続すれば、吸込ポンプ８０が不要になりコストが低減されるものである。このとき、換気ダクト８６の換気ポンプ８４に出来るだけ近い位置に吸引管３４を接続するのがよい。
【００２４】
そのほか、例えば、図４に示すように、劇場やコンサートホールなどの椅子９０の下に設けられている換気用ダクト８６に接続された吸入口９２を利用して室内温度を検知しても良い。この場合図５に示すように、吸込口９２の内部にセンサ素子５８を取り付けて、換気用に吸引した空気の温度を測定することにより、温度センサを形成する。
【００２５】
さらに、この発明の温度センサは上記実施形態に限定されるものではなく、吸込口は、床面から空気を吸い込む適宜な大きさの空間を形成できればよいため、吸込口ボックスの形状や素材など適宜変更可能なものである。また、吸込口ボックスに被せる上蓋は、空気を吸い込み可能であればよいため、上蓋の形状及び素材は適宜選択可能なものである。
【図面の簡単な説明】
【００２６】
【図１】この発明の第一実施形態の温度センサを示す部分破断分解斜視図である。
【図２】この実施形態の温度センサの床面への取付状態を示す断面図である。
【図３】この実施形態の温度センサを設置した状態を示す概略断面図である。
【図４】この発明の他の実施形態の温度センサを床面に設置した状態を示す概略断面図である。
【図５】この発明の他の実施形態の温度センサの取付状態を示す概略断面図である。る。
【符号の説明】
【００２７】
１０  温度センサ
１４  開口部
１６  吸込口ボックス
２０  上蓋
２６  貫通孔
２８  固定片
３４  吸引管
３６  センサケーブル
３８ａ，３８ｂ  挿入口
５４  センサ固定具
５８  センサ素子
８２  床面
【図１】
2006145389.tif 000003
【図２】
2006145389.tif 000004
【図３】
2006145389.tif 000005
【図４】
2006145389.tif 000006
【図５】
2006145389.tif 000007